(57)【要約】【課題】形状の異なる２種類のレセプタクルコネクタに共通して接続することが可能な互換性のあるプラグコネクタ及びコネクタケーブルを提供する。【解決手段】本発明のプラグコネクタ１は、異なる形状のレセプタクルコネクタのいずれにも嵌合する形状に成形されたシェル２と、シェル２の開口部先端に設けられたプラグ基板３と、プラグ基板３の表面に支持され、８ピン構成のコンタクト１１〜１８がシェル２の外面に配列された第１コンタクト群１０と、プラグ基板３の裏面に支持され、５ピン構成のコンタクト２１〜２５がシェル２の内面に配列された第２コンタクト群２０とを備えている。【選択図】図３
2017191715.tif 000002
【特許請求の範囲】
【請求項１】
異なる形状のレセプタクルコネクタのいずれにも嵌合する形状に成形されたシェルと、
前記シェルの開口部先端に設けられたプラグ基板と、
前記プラグ基板の表面に支持され、一方のレセプタクルコネクタのコンタクトに対応するピン構成のコンタクトが前記シェルの外面に配列された第１コンタクト群と、
前記プラグ基板の裏面に支持され、他方のレセプタクルコネクタのコンタクトに対応するピン構成のコンタクトが前記シェルの内面に配列された第２コンタクト群とを備えたプラグコネクタ。
【請求項２】
請求項１に記載のプラグコネクタを備え、前記第１コンタクト群及び前記第２コンタクト群に接続されたケーブルの端部にＵＳＢプラグコネクタが設けられているコネクタケーブル。
【発明の詳細な説明】
【技術分野】
【０００１】
本発明は、レセプタクルコネクタに接続されるプラグコネクタとこのプラグコネクタを備えたコネクタケーブルに関する。
【背景技術】
【０００２】
現在、スマートフォン等の携帯通信端末を充電器やパソコン等の電子機器に接続するケーブルとして、ｉＯＳ（登録商標）＜以下同じ＞端末用のＬＩＧＨＴＮＩＮＧ（登録商標）＜以下同じ＞コネクタケーブルと、ＡＮＤＲＯＩＤ（登録商標）＜以下同じ＞端末用のｍｉｃｒｏＵＳＢコネクタケーブルがある。
【０００３】
前者のＬＩＧＨＴＮＩＮＧコネクタケーブルのプラグコネクタは、例えば特許文献１に示すように、電源用端子が２ピン、データ伝送用端子が４ピン、デバイス認識用端子が２ピンの合計８ピン構成である。これに対し、後者のｍｉｃｒｏＵＳＢコネクタケーブルのプラグコネクタは、例えば特許文献２に示すように、電源用端子が２ピン、データ伝送用端子が２ピン、デバイス認識用端子が１ピンの合計５ピン構成である。このため、ｉＯＳ端末にｍｉｃｒｏＵＳＢコネクタケーブルを接続することはできず、同様にＡＮＤＲＯＩＤ端末にＬＩＧＨＴＮＩＮＧコネクタケーブルを接続することはできない。
【０００４】
したがって、ｉＯＳ端末とＡＮＤＲＯＩＤ端末の両方を使用するユーザーは、外出先等で充電やデータ伝送を行う場合、それぞれの専用コネクタケーブルを持ち運ばなければならず不便であった。また、最近ではＬＩＧＨＴＮＩＮＧコネクタケーブルのプラグコネクタに取り付けるｍｉｃｒｏＵＳＢ変換プラグや、ｍｉｃｒｏＵＳＢコネクタケーブルのプラグコネクタに取り付けるＬＩＧＨＴＮＩＮＧ変換プラグも市販されているが、着脱式であるため、使用後に取り外した変換プラグを紛失しやすいといった問題があった。
【先行技術文献】
【特許文献】
【０００５】
【特許文献１】特表２０１５−５０７２４３号公報
【特許文献２】特開２０１６−０１２５３８号公報
【発明の概要】
【発明が解決しようとする課題】
【０００６】
本発明はこのような問題を解決するためになされたものであり、その目的とするところは、形状の異なる２種類のレセプタクルコネクタに共通して接続することが可能な互換性のあるプラグコネクタ及びコネクタケーブルを提供することにある。
【課題を解決するための手段】
【０００７】
前記の目的を達成するため、本発明は、異なる形状のレセプタクルコネクタのいずれにも嵌合する形状に成形されたシェルと、前記シェルの開口部先端に設けられたプラグ基板と、前記プラグ基板の表面に支持され、一方のレセプタクルコネクタのコンタクトに対応するピン構成のコンタクトが前記シェルの外面に配列された第１コンタクト群と、前記プラグ基板の裏面に支持され、他方のレセプタクルコネクタのコンタクトに対応するピン構成のコンタクトが前記シェルの内面に配列された第２コンタクト群とを備えたプラグコネクタを提供するものである。
【０００８】
また、前記の目的を達成するため、本発明は、前記の構成からなるプラグコネクタを備え、前記第１コンタクト群及び前記第２コンタクト群に接続されたケーブルの端部にＵＳＢプラグコネクタが設けられているコネクタケーブルを提供するものである。
【発明の効果】
【０００９】
本発明によれば、シェルの外面に配列された第１コンタクト群とシェルの内面に配列された第２コンタクト群を備えたことにより、形状の異なる２種類のレセプタクルコネクタに共通して接続することが可能になるため、持ち運びに便利で紛失の心配もなく、ユーザーの利便性が大幅に向上するという効果がある。
【図面の簡単な説明】
【００１０】
【図１】本発明のプラグコネクタの斜視図である。
【図２】図１のプラグコネクタの底面側斜視図である。
【図３】図１のプラグコネクタの正面図である。
【図４】図１のプラグコネクタの平面図である。
【図５】図１のプラグコネクタの底面図である。
【図６】図４のＡ−Ａ断面図である。
【図７】図１のプラグコネクタを備えたコネクタケーブルをＬＩＧＨＴＮＩＮＧコネクタケーブルとして使用する場合の説明図である。
【図８】図１のプラグコネクタを備えたコネクタケーブルをｍｉｃｒｏＵＳＢコネクタケーブルとして使用する場合の説明図である。
【発明を実施するための形態】
【００１１】
以下、本発明を実施するための形態について、図面を参照しながら説明する。
【００１２】
図１〜６に示すように、本実施形態のプラグコネクタ１は、図７に示すｉＯＳ端末３０のＬＩＧＨＴＮＩＮＧレセプタクルコネクタ４０と、図８に示すＡＮＤＲＯＩＤ端末５０のｍｉｃｒｏＵＳＢレセプタクルコネクタ６０の両方に接続可能なコネクタであって、シェル２と、プラグ基板３と、２種類のコンタクト群１０，２０を備えて構成されている。
【００１３】
シェル２はステンレス鋼等の金属製であり、対応するＬＩＧＨＴＮＩＮＧレセプタクルコネクタ４０とｍｉｃｒｏＵＳＢレセプタクルコネクタ６０の両方に嵌合するように、図１や図２に示す略扁平筒型に成形されている。
【００１４】
プラグ基板３は合成樹脂等の絶縁体からなり、図１や図３に示すように、シェル２の開口部先端に表面が面一となるように取り付け固定されている。
【００１５】
第１コンタクト群１０は銅合金等の導電体からなり、ＬＩＧＨＴＮＩＮＧレセプタクルコネクタ４０に対応するように、図１，図３，図４に示す８ピン構成のコンタクト１１〜１８を有している。これら８ピンのうち、コンタクト１１，１４は電源用端子（ＧＮＤ，ＶＢＵＳ）であり、コンタクト１２，１３，１６，１７はデータ伝送用端子（Ｄ＋，Ｄ−）であり、コンタクト１５，１８はデバイス認識用端子（ＩＤ）である。この第１コンタクト群１０は、プラグ基板３の表面にプリント配線で支持されることにより、シェル２の外面に所定ピッチで配列されている。
【００１６】
第２コンタクト群２０は同じく銅合金等の導電体からなり、ｍｉｃｒｏＵＳＢレセプタクルコネクタ６０に対応するように、図２や図３に示す５ピン構成のコンタクト２１〜２５を有している。これら５ピンのうち、コンタクト２１，２５は電源用端子（ＶＢＵＳ，ＧＮＤ）であり、コンタクト２２，２３はデータ伝送用端子（Ｄ−，Ｄ＋）であり、コンタクト２４はデバイス認識用端子（ＩＤ）である。この第２コンタクト群２０は、プラグ基板３の裏面にインサート成形で支持されることにより、シェル２の内面に所定ピッチで配列されている。
【００１７】
また、第２コンタクト群２０のコンタクト２１〜２５はすべて、図６に示すように端子先端が山型に折り曲げられており、ｍｉｃｒｏＵＳＢレセプタクルコネクタ６０との接続時に所定の接触圧が付与されるようになっている。なお、シェル２の底面の両端には、図２に示すような一対のロックばね４，４が設けられており、ｍｉｃｒｏＵＳＢレセプタクルコネクタ６０との接続時に抜け止め用のストッパーとして機能する。
【００１８】
以上の構成からなるプラグコネクタ１は、図７や図８に示すように第１コンタクト群１０のコンタクト１１〜１８と、第２コンタクト群２０のコンタクト２１〜２５のそれぞれに接続されたケーブル５の先端部にＵＳＢプラグコネクタ６が設けられており、ＬＩＧＨＴＮＩＮＧコネクタケーブルとｍｉｃｒｏＵＳＢコネクタケーブルを兼用するコネクタケーブル７として構成されている。
【００１９】
このコネクタケーブル７をＬＩＧＨＴＮＩＮＧコネクタケーブルとして使用する場合には、図７に示すようにプラグ基板３が表側を向くようにして、プラグコネクタ１をＬＩＧＨＴＮＩＮＧレセプタクルコネクタ４０に差し込んで接続する。また、ケーブル５の他端にあるＵＳＢプラグコネクタ６をパソコン７０のＵＳＢレセプタクルコネクタ８０に差し込んで接続する。
【００２０】
これにより、第１コンタクト群１０のコンタクト１１〜１８とＬＩＧＨＴＮＩＮＧレセプタクルコネクタ４０のコンタクト４１〜４８が接触して導通し、パソコン７０側からコンタクト１１，１４を介してｉＯＳ端末３０に電力が供給される。また、パソコン７０側ではコンタクト１５，１８を介してｉＯＳ端末３０が外部デバイスとして認識された後、パソコン７０とｉＯＳ端末３０との間でコンタクト１２，１３（または１６，１７）を介してデータが伝送される。なお、ＬＩＧＨＴＮＩＮＧレセプタクルコネクタ４０は、図７に示すように８ピン構成のコンタクト４１〜４８が上下にそれぞれ配列されているため、プラグ基板３が裏側を向くようにして、プラグコネクタ１を表裏逆にして接続することもできる。
【００２１】
また、このコネクタケーブル７をｍｉｃｒｏＵＳＢコネクタケーブルとして使用する場合には、図８に示すようにプラグ基板３が裏側を向くようにして、プラグコネクタ１をｍｉｃｒｏＵＳＢレセプタクルコネクタ６０に差し込んで接続する。また、ケーブル５の他端にあるＵＳＢプラグコネクタ６をパソコン７０のＵＳＢレセプタクルコネクタ８０に差し込んで接続する。
【００２２】
これにより、第２コンタクト群２０のコンタクト２１〜２５とｍｉｃｒｏＵＳＢレセプタクルコネクタ６０のコンタクト６１〜６５が接触して導通し、パソコン７０側からコンタクト２１，２５を介してＡＮＤＲＯＩＤ端末５０に電力が供給される。また、パソコン７０側ではコンタクト２４を介してＡＮＤＲＯＩＤ端末５０が外部デバイスとして認識された後、パソコン７０とＡＮＤＲＯＩＤ端末５０との間でコンタクト２２，２３を介してデータが伝送される。なお、ｍｉｃｒｏＵＳＢレセプタクルコネクタ６０は、図８に示すように５ピン構成のコンタクト６１〜６５が上側にしか配列されていないため、プラグコネクタ１を表裏逆にして接続することはできず、プラグ基板３が裏側を向くようにして差し込む必要がある。
【００２３】
以上説明したように、本発明のプラグコネクタ１及びコネクタケーブル７によれば、ｉＯＳ端末３０とＡＮＤＲＯＩＤ端末５０の形状の異なる２種類のレセプタクルコネクタ４０，６０に共通して接続することが可能になる。したがって、ＬＩＧＨＴＮＩＮＧコネクタケーブルとｍｉｃｒｏＵＳＢコネクタケーブルをそれぞれ持ち運ぶ必要がなくなり、また、別途変換プラグ等を用意する必要もないため、スマートフォン等の携帯通信端末を使用するユーザーの利便性が大幅に向上する。
【符号の説明】
【００２４】
１：プラグコネクタ
２：シェル
３：プラグ基板
４：ロックばね
５：ケーブル
６：ＵＳＢプラグコネクタ
７：コネクタケーブル
１０：第１コンタクト群
１１：コンタクト（電源用端子）
１２：コンタクト（データ伝送用端子）
１３：コンタクト（データ伝送用端子）
１４：コンタクト（電源用端子）
１５：コンタクト（デバイス認識用端子）
１６：コンタクト（データ伝送用端子）
１７：コンタクト（データ伝送用端子）
１８：コンタクト（デバイス認識用端子）
２０：第２コンタクト群
２１：コンタクト（電源用端子）
２２：コンタクト（データ伝送用端子）
２３：コンタクト（データ伝送用端子）
２４：コンタクト（デバイス認識用端子）
２５：コンタクト（電源用端子）
３０：ｉＯＳ端末
４０：ＬＩＧＨＴＮＩＮＧレセプタクルコネクタ
５０：ＡＮＤＲＯＩＤ端末
６０：ｍｉｃｒｏＵＳＢレセプタクルコネクタ
７０：パソコン
８０：ＵＳＢレセプタクルコネクタ
【図１】
2017191715.tif 000003
【図２】
2017191715.tif 000004
【図３】
2017191715.tif 000005
【図４】
2017191715.tif 000006
【図５】
2017191715.tif 000007
【図６】
2017191715.tif 000008
【図７】
2017191715.tif 000009
【図８】
2017191715.tif 000010